(57)【要約】      （修正有）【課題】汚染廃棄物格納庫を構成するコンクリート部材の接合部からの放射線の漏洩抑えることができる汚染廃棄物格納庫を提供する。【解決手段】汚染廃棄物格納庫１０は、複数のボックスカルバート１２を順次に接合し、ボックスカルバート１２群の両端開口部の上下に接合される妻壁スラブ１９．２０で閉塞されている。この各ボックスカルバート１２同士の接合箇所および妻壁スラブ１９．２０の接合箇所は、汚染廃棄物に含まれる放射性物質の放射線を遮蔽する遮蔽構造となっている。この遮蔽構造は、各接合箇所に対称に形成された凸状の嵌合部３９等と凹状の被嵌合部３８等とからなる。【選択図】図３
0003178887.tif 000002
【実用新案登録請求の範囲】
【請求項１】
複数のコンクリート部材の接合により構築されて放射性物質を含む汚染廃棄物を内部に格納する汚染廃棄物格納庫において、
接合対象の各コンクリート部材の接合箇所に互いに嵌合可能な嵌合部と被嵌合部のいずれかを形成し、
一方のコンクリート部材の被嵌合部に他方のコンクリート部材の嵌合部を嵌合させて汚染廃棄物物質の放射線を遮蔽することを特徴とする汚染廃棄物格納庫。
【請求項２】
複数の暗渠ブロックを順次に接合した暗渠ブロック群と、暗渠ブロック群の両端開口部を閉塞する上下に接合される複数の妻壁ブロックとを備え、内部に放射性物質を含む汚染廃棄物を格納する汚染廃棄物格納庫において、
接合対象の各ブロックの接合箇所に互いに嵌合可能な嵌合部と被嵌合部のいずれかを形成し、
一方のブロックの被嵌合部に他方のブロックの嵌合部を嵌合させて汚染廃棄物物質の放射線を遮蔽することを特徴とする汚染廃棄物格納庫。
【請求項３】
複数の開渠ブロックを順次に接合した開渠ブロック群と、開渠ブロック群の両端開口部に接合される妻壁ブロックと、暗渠ブロック群の上端開口部を閉塞する複数の天板ブロックとを備え、内部に放射性物質を含む汚染廃棄物を格納する汚染廃棄物格納庫において、
接合対象の各ブロックの接合箇所に互いに嵌合可能な嵌合部と被嵌合部のいずれかを形成し、
一方のブロックの被嵌合部に他方のブロックの嵌合部を嵌合させて汚染廃棄物物質の放射線を遮蔽することを特徴とする汚染廃棄物格納庫。
【請求項４】
嵌合部が凸状に形成されている一方、非嵌合部が凹状に形成されていることを特徴とする請求項１〜３のいずれか１項に記載の汚染廃棄物格納庫。
【考案の詳細な説明】
【技術分野】
【０００１】
本考案は、放射性物質を含む下水道汚泥、除染のために削ぎ取った土壌、間伐材、除草、焼却灰などの汚染廃棄物を格納して保管するコンクリート製の汚染廃棄物格納庫に関する。
【背景技術】
【０００２】
福島第一原子力発電所の事故により、東北地方・関東地方の下水処理場の下水汚泥や同地方で除染のために削ぎ取った土壌、間伐材、除草、焼却灰などからセシウム１３７やストロンチュウム９０などの放射性物質が検出されている。この放射性物質を含む汚染廃棄物はリサイクルができず、また通常の産廃処理施設では処理もできない。
【０００３】
そこで、現在のところ汚染廃棄物は、コンクリート製の汚染廃棄物格納庫に仮置きして保管されている。図１０および図１１に基づき非特許文献１の汚染廃棄物格納庫１の概略を説明すれば、分割製造された複数のＬ型擁壁２，遮水シート３，妻壁スラブ４，複数のコンクリート蓋パネル５を用いて施工現場で構築されている。
【０００４】
すなわち、基礎６上に各Ｌ型擁壁２を対向させて幅方向Ｈに沿って順次接合させ、汚染廃棄物を詰め込んだ大型土嚢７を内部に搬入し、遮水シート３を巻いて両サイドの開口部を妻壁スラブ４で閉塞する。その後にコンクリート蓋パネル５群を上端開口部に設置して閉塞することにより、コンクリート擁壁内に汚染廃棄物が仮置きされている。
【先行技術文献】
【非特許文献】
【０００５】
【非特許文献１】”タイプＩ  Ｕ型保管施設”、[ｏｎｌｉｎｅ]、汚染廃棄物仮置施設研究会、[平成２３年３月２日検索]、インターネット＜ＵＲＬ：http://isrw.biz/pg37.html＞
【考案の概要】
【考案が解決しようとする課題】
【０００６】
しかしながら、コンクリート製品は放射線の遮蔽効果が高いものの、従来の汚染廃棄物格納庫１は、幅方向Ｈに沿ってＬ型擁壁２を接合しているため、Ｌ型擁壁２の接合箇所などから放射線が大量に漏れ出すおそれがある。これでは仮置きによる放射線量の減衰効果が期待できず、汚染廃棄物を安全に保管することができなくなってしまう。
【０００７】
本考案は、上述のような従来技術の問題点を解決するためになされたものであり、汚染廃棄物格納庫を構成するコンクリート部材の接合箇所からの放射線の漏洩を抑えることを解決課題としている。
【課題を解決するための手段】
【０００８】
そこで、本考案は、複数のコンクリート部材の接合により構築されて放射性物質を含む汚染廃棄物を内部に格納する汚染廃棄物格納庫において、接合対象の各コンクリート部材の接合箇所に互いに嵌合可能な嵌合部と被嵌合部のいずれかを形成し、一方のコンクリート部材の被嵌合部に他方のコンクリート部材の嵌合部を嵌合させて汚染廃棄物物質の放射線を遮蔽することを特徴とする。
【０００９】
この考案は、例えば複数の暗渠ブロックを順次に接合した暗渠ブロック群と、暗渠ブロック群の両端開口部を閉塞する上下に接合される複数の妻壁ブロックとを備え、内部に放射性物質を含む汚染廃棄物を格納する汚染廃棄物格納庫に適用することができる。この場合には接合対象の各ブロックの接合箇所に互いに嵌合可能な嵌合部と被嵌合部のいずれかを形成し、一方のブロックの被嵌合部に他方のブロックの嵌合部を嵌合させて汚染廃棄物物質の放射線を遮蔽する
また、複数の開渠ブロックを順次に接合した開渠ブロック群と、開渠ブロック群の両端開口部に接合される妻壁ブロックと、暗渠ブロック群の上端開口部を閉塞する複数の天板ブロックとを備え、内部に放射性物質を含む汚染廃棄物を格納する汚染廃棄物格納庫にも適用することができる。この場合にも接合対象の各ブロックの接合箇所に互いに嵌合可能な嵌合部と被嵌合部のいずれかを形成し、一方のブロックの被嵌合部に他方のブロックの嵌合部を嵌合させて汚染廃棄物物質の放射線を遮蔽する。なお、嵌合部および被嵌合部の好ましい態様としては、凸状の嵌合部（嵌合凸部）と凹状の被嵌合部（嵌合凹部）が挙げられる。
【考案の効果】
【００１０】
本考案によれば、汚染廃棄物格納庫を構成するコンクリート部材の接合箇所からの放射線の漏洩を抑えることができる。
【図面の簡単な説明】
【００１１】
【図１】本考案の第１実施形態に係る汚染廃棄物格納庫の内視図。
【図２】同  Ａ−Ａ断面図。
【図３】同  Ｂ−Ｂ断面図。
【図４】（ａ）は図３中のＱ部の接合詳細（接合前）を示す拡大図、（ｂ）は同接合詳細（接合後）を示す拡大図。
【図５】（ａ）は図１中のＰ部の接合詳細（接合前）を示す拡大図、（ｂ）は同接合の詳細（接合後）を示す拡大図。
【図６】本考案の第２実施形態に係る汚染廃棄物格納庫の内視図。
【図７】同  Ｃ−Ｃ断面図。
【図８】同  Ｄ−Ｄ断面図。
【図９】（ａ）は図６中のＲ部の接合詳細を示す拡大図、（ｂ）は図７中のＳ部の接合詳細を示す拡大図、（ｃ）は図８中のＴ部の接合詳細を示す拡大図。
【図１０】従来の汚染廃棄物格納庫の斜視図。
【図１１】図１０の縦断面図。
【考案を実施するための形態】
【００１２】
≪第１実施形態≫
以下、図１〜図５に基づき本考案の第１実施形態に係る汚染廃棄物格納庫を説明する。この格納庫１０内には、例えばセシウム１３７やストロンチュウム９０などの放射性物質を含む下水道汚泥や除染のために削ぎ取った土壌・間伐材・除草・焼却灰などの汚染廃棄物を詰め込んだ複数のドラム缶（土嚢でもよい。）１１が格納されて一定期間保管（仮置きを含む。）されている。
【００１３】
具体的には前記格納庫１０は、図１に示すように、分割製造されたプレキャストコンクリート製の複数のボックスカルバート（暗渠ブロック）１２を施工現場にて前後方向（図１中のＢ−Ｆ方向）に順次に接合したボックスカルバート１２群と、ボックスカルバート１２群の両端開口部にボルト２１をもって接続されて該開口部を閉塞する上下の妻壁スラブ（妻壁ブロック）１９，２０とを有している。ここではボックスカルバート１２群内にドラム缶１１群を搬入した後に妻壁スラブ１９．２０によりボックスカルバート１２群の両端開口部が閉塞される。
【００１４】
各ボックスカルバート１２は、図２に示すように、ボックス状に形成され、上下一対の底版ブロック１６および頂版ブロック１７と、該両ブロック１６，１７の側端部間を連結する左右一対の側壁ブロック１８とを有している。この底壁ブロック１６同士と頂版ブロック１７同士と側壁ブロック１８同士とは、図３に示すように、それぞれ前後方向に順次に接合されている。
【００１５】
このとき前記各ブロック１６〜１８の前後端部（Ｂ側端部・Ｆ側端部）の接合箇所は、汚染廃棄部に含まれる放射性物質の放射線を遮蔽する遮蔽構造に形成されている。この遮蔽構造は、接合対象の前記ブロック１６〜１８間に形成された凹凸嵌合形状からなり、下側の妻壁スラブ１９と上側の妻壁スラブ２０との接合箇所にも形成されている。以下、前記各ブロック１６〜２０の接合箇所の詳細を説明する。
【００１６】
（１）前記ブロック１６，１７の接合詳細
図４（ａ）（ｂ）に基づき前記ブロック１７同士の接合詳細を説明する。図４（ａ）（ｂ）は、図３中のＱ部の接合詳細、即ち前後方向（Ｂ−Ｆ方向）に接合される各頂版ブロックの凹凸嵌合形状を示している。ここでは１７ａは頂版ブロック１７の後端部（Ｂ側端部）の接合箇所（受口）を示し、１７ｂは頂版ブロック１７の前端部（Ｆ側端部）の接合箇所（差口）を示し、それぞれ対称の凹凸形状に形成されている。
【００１７】
すなわち、接合箇所１７ａには、図４（ａ）に示すように、凹状の被嵌合部（嵌合凹部）２２が左右方向（幅方向）に沿って形成されている一方、接合箇所１７ｂには被嵌合部２２に嵌合可能な凸状の嵌合部（嵌合凸部）２６が左右方向に沿って形成されている。この被嵌合部２２の底面２２ａと上下の後端面１７ｃ，１７ｄとは段差面を構成し、被嵌合部２２の側面２２ｂ，２２ｃと後端面１７ｃ，１７ｄとが直交している。また、嵌合部２６の頂面２６ａと上下の前端面１７ｅ，１７ｆとは段差面を構成し、嵌合部２６の側面２６ｂ，２６ｃと前端面１７ｅ，１７ｆとが直交している。
【００１８】
そして、接合箇所１７ａ，１７ｂの接合に際しては、被嵌合部２２に嵌合部２６を対向させる。この状態のまま図４（ｂ）に示すように、嵌合部２６を被嵌合部２２内に嵌入させて両者２２，２６を嵌合させ、前後の頂版ブロック１７の接合箇所１７ａ，１７ｂが接合されている。このとき接合箇所１７ａ，１７ｂの端面１７ｄ，１７ｆ間にはスポンジシール材Ｓ１および目次材Ｓ２が充填され、外側のスリットには屋外用耐候性シール材Ｓ３が充填されている。
【００１９】
なお、底版ブロック１６の接合部にも、図４（ａ）（ｂ）と同様な凹凸嵌合形状が形成され、頂版ブロック１７と同様に接合されている。この底版ブロック１６に接合される妻壁ブロック１９の下端内部と、頂版ブロック１７に接合される妻壁ブロック２０の上端内部とにも、図３に示すように、前記各ブロック１６，１７と嵌合可能な凹凸嵌合形状が形成されている。
【００２０】
（２）側壁ブロック１８の接合詳細
図５（ａ）（ｂ）に基づき側壁ブロック１８同士の接続詳細を説明する。図５（ａ）（ｂ）は、図１中のＰ部の接合詳細、即ち前後方向（Ｂ−Ｆ方向）に接合される各側壁ブロック１８の凹凸嵌合形状を示している。ここでは１８ａは側壁ブロック１８の後端部（Ｂ側端部）の接合箇所（受口）を示し、１８ｂは側壁ブロック１８の前端部（Ｆ側端部）の接合箇所（差口）を示し、それぞれ対称の凹凸形状に形成されている。
【００２１】
すなわち、接合箇所１８ａには、図４（ａ）に示すように、凹状の被嵌合部（嵌合凹部）３０が左右方向に沿って形成されている一方、接合箇所１８ｂには被嵌合部３０に嵌合可能な凸状の嵌合部（嵌合凸部）３４が左右方向に沿って形成されている。この被嵌合部３０の底面３０ａと上下の後端面１８ｃ，１８ｄとは段差面を構成し、被嵌合部３０の側面３０ｂ，３０ｃと後端面１８ｃ，１８ｄとが直交している。また、嵌合部３４の頂面３４ａと上下の前端面１８ｅ，１８ｆとは段差面を構成し、嵌合部３４の側面３４ｂ，３４ｃと前端面１８ｅ，１８ｆとが直交している。
【００２２】
そして、接合箇所１８ａ，１８ｂの接合に際しては、被嵌合部３０に嵌合部３４を対向させる。この状態のまま図４（ｂ）に示すように、嵌合部３４を被嵌合部３０内に嵌入させて両者３０，３４を嵌合させ、前後の側壁ブロック１８の接合箇所１８ａ，１８ｂが接合されている。このとき接合箇所１８ａ，１８ｂの端面１８ｄ，１８ｆ間にはスポンジシール材Ｓ１および目次材Ｓが充填され、外側のスリットには屋外用耐候性シール材Ｓ３が充填されている。なお、前記Ｐ部と反対側の側壁ブロック１８の接合部１８ａ，１８ｂにも同様な凹凸嵌合形状が形成され、同様に接合されているものとする。
【００２３】
（３）妻壁スラブ１９，２０の接合詳細
図３に基づき妻壁スラブ１９，２０間の接合詳細、即ち下側の妻壁スラブ１９の上端部と上側の妻壁スラブ２０の下端部との接合箇所の詳細を説明する。ここでは妻壁スラブ２０の下端部には凹状の被嵌合部（嵌合凹部）３８が前後方向に沿って形成されている一方、妻壁スラブ１９の上端部には被嵌合部３８に嵌合可能な凸状の嵌合部（嵌合凸部）３９が前後方向に沿って形成されている。
【００２４】
この被嵌合部３８の底面３８ａと内外の端面３８ｄ，３８ｅとは段差面を構成し、被嵌合部３８の側面３８ｂ，３８ｃと前記端面３８ｄ，８８ｅとが直交している。また、嵌合部３９の頂面３９ａと内外の端面３９ｄ，３９ｅとは段差面を構成し、嵌合部３９の側面３９ｂ，３９ｃと前記端面３９ｄ，３９ｅとが直交している。そして、被嵌合部３８に嵌合部３９を対向させ、被嵌合部３８に嵌合部３９を嵌入させて両者３８，３９を嵌合させ、上下の妻壁スラブ１９，２０が接合されている。
【００２５】
このように前記格納庫１０によれば、各コンクリートブロック１６〜２０の接合部が凹凸嵌合形状の遮蔽構造に形成されているため、内部に保管されるドラム缶１１内の汚染廃棄物からの放射線の外部漏れを抑えることができる。すなわち、コンクリートブロック１６〜２０は放射線の遮蔽効果が高く、ドラム缶１１内の汚染廃棄物からの放射線は、通常、コンクリートブロック１６〜２０に遮蔽される。ところが、この種の汚染廃棄物格納庫は、分割製造されたコンクリート製品を接合して構築されているため、その接合箇所から放射線が漏れるおそれがある。
【００２６】
このとき前記格納庫１０の遮蔽構造によれば、頂版ブロック１７の前後端面１７ｄ，１７ｆ間、側壁ブロック１８の前後端面１８ｄ，１８ｆ間や妻スラブ１９，２０の内端面３８ｅ．３９ｅ間などに侵入した放射線は、嵌合部２６，３４，３９の側面２６ｃ，３４ｃ，３９ｃにより外部への漏洩が抑制される。
【００２７】
特に放射線のうち最も危険なガンマ線は直線上に進む性質を有しているものの、前記各側面２６ｃ，３４ｃ，３９ｃは放射線の進入経路、即ち前記端面１７ｄ，１７ｆ、前記端面１８ｄ，１８ｅ、前記端面３８ｅ．３９ｅと直交しているため、前記各側面２６ｃ，３４ｃ，３９ｃで効果的に遮蔽することができる。この意味で前記各側面２６ｃ，３４ｃ，３９ｃは、内部に格納された汚染廃棄物の放射線を遮蔽する遮蔽面として機能している。
【００２８】
その結果、前記格納庫１０に汚染廃棄物を安全に保管でき、放射線量の大幅な減衰効果が期待できる。したがって、前記格納庫１０の周囲（例えば民家、道路、田畑など）への放射線の影響が抑制される。
【００２９】
≪第２実施形態≫
図６〜図９に基づき本考案の第２実施形態に係る汚染廃棄物格納庫を説明する。この格納庫６０内には、汚染廃棄物を詰め込んだ複数のフレコンバッグ６１（ドラム缶や土嚢などでもよい。）が格納されて保管（仮置きを含む。）されている。
【００３０】
前記格納庫６０は、図６および図７に示すように、分割製造されたプレキャストコンクリート製の複数のＵ型カルバート６５（開渠ブロック）を施工現場にて前後方向（図６中のＢ−Ｆ方向）に順次に接合したＵ型カルバート６５群と、Ｕ型カルバート６５群の両端開口部を閉塞する一対の妻壁スラブ（妻壁ブロック）６３と、Ｕ型カルバート６５群の上端開口部を閉塞する複数の天板スラブ（天板ブロック）６４群とを有している。このＵ型カルバート６５群内にフレコンバッグ６１を搬入した後に両妻壁スラブ６３でＵ型カルバート６５群の両端開口部を閉塞し、天板スラブ６４群によりＵ型カルバート６５群の上端開口部を閉塞する。
【００３１】
Ｕ型カルバート６５は、図７に示すように、Ｕ字状に形成され、底壁ブロック６６と底壁ブロック６６の両側端部に垂直に立設された左右一対の側壁ブロック６７とを有している。そして、図８に示すように、前後に配置されたＵ型カルバート６５の側壁ブロック６７同士が順次接合され、各側壁ブロック６７の上端部に天板スラブ６４の左右側端部が接合され、前後の天板スラブ６４同士が順次接合されている。また、Ｕ型カルバート６５群の両端開口部では、天板スラブ６４および底壁ブロック６６に妻壁スラブ６３が接合されている。この各接合箇所は、第１実施形態と同様な凹凸嵌合形状の遮蔽構造に形成されている。以下、各接合箇所の詳細を説明する。
【００３２】
（１）側壁ブロック６７の接合詳細
図９（ａ）に基づき側壁ブロック６７の接続詳細を説明する。図９（ａ）は、図６中のＲ部の接続詳細、即ち前後方向（Ｂ−Ｆ方向）に接続される各側壁ブロック６７の凹凸嵌合形状を示している。ここでは６７ａは側壁ブロック６７の後端部（Ｂ側端部）の接合箇所（受口）を示し、６７ｂは側壁ブロック６７の前端部（Ｆ側端部）の接合箇所（差口）を示し、それぞれ対称の凹凸形状に形成されている。
【００３３】
すなわち、接合箇所６７ａには、凹状の被嵌合部（嵌合凹部）７０が左右方向に沿って形成されている一方、接合箇所６７ｂには被嵌合部（嵌合凸部）７０に嵌合可能な凸状の嵌合部（嵌合凸部）７１が左右方向に沿って形成されている。この被嵌合部７０の底面７０ａと上下の後端面６７ｃ，６７ｄとは段差面を構成し、被嵌合部７０の側面７０ｂ，７０ｃと後端面６７ｃ，６７ｄとが直交している。また、嵌合部７１の頂面７１ａと上下の前端面６７ｅ，６７ｆとは段差面を構成し、嵌合部７１の側面７１ｂ，７１ｃと前端面６７ｅ，６７ｆとが直交している。
【００３４】
そして、被嵌合部７０に嵌合部７１を対向させ、被嵌合部７０に嵌合部７１を嵌入させて両者７０，７１を嵌合させ、前後の側壁ブロック６７が接合されている。なお、前記Ｒ部と反対側の側壁ブロック６７の接合箇所６７ａ，６７ｂにも、図９（ａ）と同様な凹凸嵌合形状が形成され、同様に接合されているものとする。また、接合箇所６７ａ，６７ｂに接合される妻壁スラブ６３の上下端部内側には、図８に示すように、接合箇所６７，６７ｂと嵌合可能な凹凸形状が形成され、同様に接合されているものとする。
【００３５】
（２）天板スラブ６４の接合詳細
まず、図９（ｂ）に基づき天板ブロック６４の側壁ブロック６４の上端部への接続詳細を説明する。図９（ｂ）は、図７中のＳ部の接続詳細を示し、６７ｃは側壁ブロック６７の上端部の接合箇所（差口）を示し、６４ａはスラブ天板６４の左側端部の接合箇所（受口）を示し、それぞれ対称の凹凸形状に形成されている。
【００３６】
すなわち、天板スラブ６４の左側端部６４ａには凹状の被嵌合部（嵌合凹部）７８が前後方向に沿って形成されている一方、側壁ブロック６７の上端部６７ｃには被嵌合部７８に嵌合可能な凸状の嵌合部（嵌合凸部）８０が前後方向に沿って形成されている。この天版スラブ６４の左側端部６４ａ中、被嵌合部７８の底面７８ａと側端面６４ｃ，６４ｄとは段差面を構成し、被嵌合部７８の側面７８ｂ，７８ｃと側端面６４ｃ，６４ｄとが直交している。また、側壁ブロック６７の上端部６１ｃ中、嵌合部８０の頂面８０ａと端面６７ｇ，６７ｈとは段差面を構成し、嵌合部８０の側面８０ｂ，８０ｃと端面６７ｇ，６７ｈとが直交している。
【００３７】
そして、被嵌合部７８と嵌合部８０とを対向させ、被嵌合部８０に嵌合部７１を嵌入させて両者７８，８０を嵌合し、側壁ブロック６７の上端部６７ｃに天板スラブ６４の左側端部６４ａを接合している。なお、前記Ｓ部と反対側の天板スラブ６４の右側端部には、図９（ｂ）と同様な被嵌合部７８が形成され、同様に側壁ブロック６７の上端部６７ｃに接合されているものとする。
【００３８】
つぎに図９（ｃ）に基づき前後の天板スラブ６４同士の接合詳細を説明する。図９（ｃ）は、図８中のＴ部の詳細を示し、６４ｂは天板スラブ６４の後端部（Ｂ側端部）に形成された接合箇所（受口）を示し、６４ｃは天板スラブ６４の前端部（Ｆ側端部）に形成された接合箇所（差口）を示し、それぞれ対称の凹凸形状に形成されている。すなわち、接合箇所６４ｂには、凹状の被嵌合部（嵌合凹部）８２が左右方向に沿って形成されている一方、接合箇所６４ｃには被嵌合部（嵌合凸部）８２に嵌合可能な凸状の嵌合部（嵌合凸部）８３が左右方向に沿って形成されている。
【００３９】
この被嵌合部８２の底面８２ａと上下の後端面６４ｅ，６４ｆとは段差面を構成し、被嵌合部８２の側面８２ｂ，８２ｃと後端面６４ｅ，６４ｆとが直交している。また、嵌合部８３の頂面８３ａと上下の前端面６４ｇ，６４ｈとは段差面を構成し、嵌合部８３の側面８３ｂ，８３ｃと前端面６４ｇ，６４ｈとが直交している。そして、被嵌合部８２に嵌合部８３を対向させ、被嵌合部８２に嵌合部８３を嵌入させて両者８２，８３を嵌合し、前後の天板スラブ６４を接合している。
【００４０】
したがって、前記格納庫６０によれば、前記格納庫１０と同様に側壁ブロック６７の前後端面６７ｄ，６７ｆ間および天板スラブ６４の前後端面６４ｆ，６４ｈ間に侵入した放射線は、嵌合部７１，８３の側面７１ｃ，８３ｃにより外部への漏洩が抑制される。また、天板スラブ６４の側端面６４ｄと側壁ブロック６７の端面６７ｈとの間に侵入した放射線も、嵌合部８０の側面８０ｃにより外部への漏洩が抑制される。この意味で嵌合部７１，８０，８３の側面７１ｃ，８０ｃ，８３ｃも前記格納庫６０内に格納された汚染廃棄物の放射線を遮蔽する遮蔽面として機能している。
【００４１】
その結果、前記格納庫６０の汚染廃棄物を安全に保管でき、放射線量の大幅な減衰効果が期待できる。したがって、前記格納庫６０の周囲（例えば民家、道路、田畑など）への放射線の影響が抑制される。
【００４２】
なお、本考案は、上記実施形態に限定されるものではなく、各請求項に記載された範囲内で変更して実施することができる。例えば前記格納庫１０，６０の外壁に外壁汚れ抑制材を設けることができ、内部に放射性物質付着抑制材や放射性物質吸着シートを設けることもできる。
【００４３】
また、前記格納庫１０，６０では嵌合部２６，３４，３９，７１，８０，８３と被嵌合部２２，３０，３８，７０，７８，８２は断面長方形状に形成されているが、これを断面台形状に形成することもできる。この場合には前記各側面２２ｂ，２２ｃ，２６ｂ，２６ｃ，３０ｂ，３０ｃ，３４ｂ，３４ｃ，３８ｂ，３８ｃ，３９ｂ，３９ｃ，７０ｂ，７０ｃ，７１ｂ，７１ｃ，７８ｂ，７８ｃ，８０ｂ，８０ｃ，８２ｂ，８２ｃ，８３ｂ，８３ｃは傾斜面に構成される。
【００４４】
さらに嵌合部２６，３４，３９，７１，８０，８３と被嵌合部２２，３０，３８，７０，７８，８２とを反対に配置することもできる。例えば天板スラブ１７の前端部１７ａに嵌合部２６を形成する一方、後端部１７ｂに被嵌合部２２を形成することも可能である。
【符号の説明】
【００４５】
１０，６０…汚染廃棄物格納庫
１２…ボックスカルバート（暗渠ブロック）
１９，２０，６３…妻壁スラブ
１７ａ，１７ｂ…頂版ブロックの前後端部の接続箇所
１８ａ，１８ｂ，６７ａ，６７ｂ…側壁ブロックの前後端部の接合箇所
２２，３０，３８，７０，７８，８２…被嵌合部
２６，３４，３９，７１，８０，８３…嵌合部
６４…天板スラブ
６４ａ…天板スラブの左側端部の接続部位
６４ｂ，６４ｃ…天板スラブの前後端部の接続箇所
６７ｃ…側壁ブロックの上端部の接続箇所
６５…Ｕ型カルバート（開渠ブロック）
【図１】
0003178887.tif 000003
【図２】
0003178887.tif 000004
【図３】
0003178887.tif 000005
【図４】
0003178887.tif 000006
【図５】
0003178887.tif 000007
【図６】
0003178887.tif 000008
【図７】
0003178887.tif 000009
【図８】
0003178887.tif 000010
【図９】
0003178887.tif 000011
【図１０】
0003178887.tif 000012
【図１１】
0003178887.tif 000013